(57)【特許請求の範囲】
【請求項１】
内燃機関とバッテリに蓄えられた電力を動力源として力行する電動機との少なくとも一方から出力される動力を、変速機を介して駆動輪に伝達することにより走行し、前記電動機を回生駆動させることにより前記駆動輪に回生制動トルクを伝達して減速するハイブリッド電気自動車の制御装置であって、
ブレーキペダルの踏み込み量を検出するブレーキペダル踏み込み量検出手段と、
前記電動機の回転数を検出する回転数検出手段と、
前記変速機の変速段を検出する変速段検出手段と、
前記検出された電動機の回転数と前記検出された変速段とに基づいて前記電動機の基準回生制動トルクを算出し、該算出された基準回生制動トルクと上乗せ回生制動トルクとの和が前記電動機の最大回生制動トルクに満たない場合に、前記検出されたブレーキペダルの踏み込み量、電動機の回転数及び変速段に基づいて算出した前記上乗せ回生制動トルクを前記基準回生制動トルクに上乗せすることにより、前記回生制動トルクを算出する回生制動トルク算出手段と
を備え、
前記上乗せ回生制動トルクは前記電動機の回転数が第１回転数から該第１回転数より高い第２回転数にかけて増加し、前記第２回転数から該第２回転数より高い第３回転数にかけて減少するように設定されており、且つ、前記第１回転数より小さい範囲においてゼロに設定されていることを特徴とするハイブリッド電気自動車の制御装置。
【請求項２】
前記上乗せ回生制動トルクは、前記変速機の変速段が小さくなるに従い減少するように設定されていることを特徴とする請求項１に記載のハイブリッド電気自動車の制御装置。
【請求項３】
前記上乗せ回生制動トルクは、前記ブレーキペダルの踏み込み量が増加するに従い増加するように設定されていることを特徴とする請求項１に記載のハイブリッド電気自動車の制御装置。
【請求項４】
前記基準回生トルクが前記最大回生制動トルクより大きい場合、前記回生制動トルクを前記最大回生制動トルクに設定すると共に、前記内燃機関の出力軸と前記電動機の入力軸との間に設けられたクラッチを接続し、前記内燃機関によるエンジンブレーキをかけて減速することを特徴とする請求項１から３のいずれか一項に記載のハイブリッド電気自動車の制御装置。
【発明の詳細な説明】
【技術分野】
【０００１】
本発明は、内燃機関とバッテリに蓄えられた電力を動力源として力行する電動機との少なくとも一方から出力される動力で走行し、電動機の回生時に回生制動トルクを発生させて減速するハイブリッド電気自動車の制御装置の技術分野に関する。
【背景技術】
【０００２】
近年、ガソリンエンジンやディーゼルエンジンなどの内燃機関、及び、バッテリに蓄えられた電力で駆動可能な電動機の少なくとも一方を動力源として走行可能なハイブリッド電気自動車が注目されている。この種のハイブリッド電気自動車では、減速時に電動機を回生駆動させることにより車両の運動エネルギーを電気エネルギー（電力）としてバッテリに蓄電し、該蓄電した電力で電動機を力行させることによって内燃機関の燃料消費量を抑制して燃費向上が図られている。
【０００３】
ハイブリッド電気自動車において更なる燃費向上を図るためには、減速時に回生エネルギーをいかに効率的に回収するかが重要である。特に、電動機では回収する回生エネルギーに応じた回生制動トルクが発生するため、発生する回生制動トルクがドライバーにとって違和感を与えない範囲になるように配慮しつつ、回生エネルギーの回収効率を極力大きくすることが課題とされている。例えば特許文献１には、減速時に電動機で発生させる回生制動トルクをブレーキペダルの踏み込み量及び踏み込み速度に応じて可変に設定することにより、ドライバーの意思に沿った減速挙動を実現しつつ、電動機の回生エネルギーの回収効率を向上させる技術が記載されている。
【先行技術文献】
【特許文献】
【０００４】
【特許文献１】特開平６−２５３４０６号公報
【発明の概要】
【発明が解決しようとする課題】
【０００５】
特許文献１によれば、減速時に電動機で発生させる回生制動トルクは、ブレーキペダルの踏み込み量及び踏み込み速度に比例関係を有するように設定されており、当該比例係数は走行条件に関わらず一定に固定されている。そもそも減速時にドライバーが意図する車両の挙動は、車両がおかれる走行条件によって様々である。にもかかわらず、特許文献１では、車両の走行条件に関わらず回生制動トルクをブレーキペダルの踏み込み量及び踏み込み速度のみに基づいて一律に算出している。そのため、車両の走行条件によっては、回生制動トルクがドライバーの意思とはかけ離れた値となり、場合によってはショックなどとなってドライバビリティを悪化させてしまうという問題点がある。
【０００６】
具体的に説明すると、特許文献１では、比例係数が大きく設定されている場合には回生制動トルクの大きさが過大となり、ドライバーにショック感を与えてしまい、ドライバビリティが悪化してしまうことが懸念される。そのため、特許文献１では、このようなドライバビリティの悪化を防止すべく比例係数を小さく設定せざるを得ない。その結果、回生時に発生する回生制動トルクが小さくなるに伴い、回生エネルギーの回収効率も低下してしまうという問題がある。
【０００７】
本発明は上記問題点に鑑みてなされたものであり、電動機の回生制動時にドライバビリティを悪化させることなく、回生エネルギーを効率的に回収可能なハイブリッド電気自動車の制御装置を提供することを目的とする。
【課題を解決するための手段】
【０００８】
本発明のハイブリッド電気自動車の制御装置は上記課題を解決するために、内燃機関とバッテリに蓄えられた電力を動力源として力行する電動機との少なくとも一方から出力される動力を、変速機を介して駆動輪に伝達することにより走行し、前記電動機を回生駆動させることにより前記駆動輪に回生制動トルクを伝達して減速するハイブリッド電気自動車の制御装置であって、ブレーキペダルの踏み込み量を検出するブレーキペダル踏み込み量検出手段と、前記電動機の回転数を検出する回転数検出手段と、
前記変速機の変速段を検出する変速段検出手段と、前記検出された電動機の回転数と前記検出された変速段とに基づいて前記電動機の基準回生制動トルクを算出し、該算出された基準回生制動トルクと上乗せ回生制動トルクとの和が前記電動機の最大回生制動トルクに満たない場合に、前記検出されたブレーキペダルの踏み込み量、電動機の回転数及び変速段に基づいて算出した前記上乗せ回生制動トルクを前記基準回生制動トルクに上乗せすることにより、前記回生制動トルクを算出する回生制動トルク算出手段とを備え、前記上乗せ回生制動トルクは前記電動機の回転数が第１回転数から該第１回転数より高い第２回転数にかけて増加し、前記第２回転数から該第２回転数より高い第３回転数にかけて減少するように設定されており、且つ、前記第１回転数より小さい範囲においてゼロに設定されていることを特徴とする。
【０００９】
本発明によれば、基準回生制動トルクが電動機の最大回生制動トルクに満たない場合に、基準回生制動トルクに上乗せ回生制動トルクを上乗せして回生制動トルクを設定することにより、回生エネルギーの回収効率を向上させることができる。特に、上乗せ回生制動トルクは、車両の走行条件（ブレーキペダルの踏み込み量、電動機の回転数、変速機の変速段）に応じて算出されるため、ドライバビリティの悪化を防止するために基準回生制動トルクを比較的小さく設定した場合であっても、良好な回生エネルギー回収効率を得ることができる。
【００１０】
好ましくは、前記上乗せ回生制動トルクは、前記変速機の変速段が小さくなるに従い減少するように設定するとよい。この場合、変速段の変速比が小さくなるにつれて（即ち、低速側のギアにある場合）上乗せ回生制動トルクが小さく設定されるので、低速側における車両の安全性を良好に確保できる。即ち、ドライバーのブレーキペダルの踏み込み操作によって精度のよい車両の挙動制御が求められる停車時などの走行条件にある場合には、上乗せ回生制動トルクを小さく設定することによって回生制動トルクを抑制し、ドライバーのブレーキペダル操作によって車両をより忠実に制御可能とすることで安全性を向上させられる。
【００１１】
また、前記上乗せ回生制動トルクは、前記ブレーキペダルの踏み込み量が増加するに従い増加するように設定してもよい。この場合、ブレーキペダルの踏み込み量が増加するほどドライバーは急激な減速を意図していると想定されるため、上乗せ回生制動トルクを増大させることにより回生エネルギーの回収効率を向上させることができる。
【００１２】
また、前記基準回生制動トルクが前記最大回生制動トルクより大きい場合、前記回生制動トルクを前記最大回生制動トルクに設定すると共に、前記内燃機関の出力軸と前記電動機の入力軸との間に設けられたクラッチを接続し、前記内燃機関によるエンジンブレーキをかけて減速してもよい。この場合、基準回生制動トルクが電動機の最大回生制動トルクを超えている場合、最大回生制動トルクで電動機を回生駆動させることによって極力多くの回生エネルギーの回収を図ると共に、電動機の回生制動トルクでは賄いきれない制動力をエンジンブレーキによって補うことができる。
【発明の効果】
【００１３】
本発明によれば、基準回生制動トルクが電動機の最大回生制動トルクに満たない場合に、基準回生制動トルクに上乗せ回生制動トルクを上乗せして回生制動トルクを設定することにより、回生エネルギーの回収効率を向上させることができる。特に、上乗せ回生制動トルクは、車両の走行条件（ブレーキペダルの踏み込み量、電動機の回転数、変速機の変速段）に応じて算出されるため、ドライバビリティの悪化を防止するために基準回生制動トルクを比較的小さく設定した場合であっても、良好な回生エネルギー回収効率を得ることができる。
【図面の簡単な説明】
【００１４】
【図１】本発明に係るハイブリッド電気自動車の全体構成を概念的に示すブロック図である。
【図２】本発明に係るハイブリッド電気自動車の制御内容を示すフローチャート図である。
【図３】モータ回転数と基準回生制動トルクとの関係を示すグラフ図である。
【図４】ブレーキペダルの踏み込み量、モータ回転数、変速段と上乗せ回生制動トルクとの関係を示すグラフ図である。
【発明を実施するための形態】
【００１５】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１６】
図１は、本発明に係るハイブリッド電気自動車１の全体構成を概念的に示すブロック図である。本発明に係るハイブリッド電気自動車１はパラレル式ハイブリッド電気自動車であり、ディーゼルエンジン２（以下、「エンジン２」と称する）の出力軸にクラッチ３の入力軸が連結されており、クラッチ３の出力軸にモータ４の回転軸を介して変速機５の入力軸が連結されている。変速機５の出力軸には、プロペラシャフト６、差動装置７及び駆動軸８を介して左右の駆動輪９が接続されている。また、左右の駆動輪９には、それぞれブレーキ１２が備えられており、ドライバーがブレーキペダル１３を踏み込むことにより機械的制動トルクを発生させ、車両の減速を行うことができるように構成されている。
【００１７】
エンジン２は、ハイブリッド電気自動車１の動力源の一つとして機能する内燃機関である。エンジン２はディーゼルエンジンであり、例えば燃焼室において空気を高温圧縮し燃料を噴射することで、自然発火を利用した燃焼による爆発力によって生じるピストンの往復運動を出力軸の回転運動に変換することが可能に構成されている。
【００１８】
クラッチ３は、エンジン２の出力軸とモータ４の回転軸との間に設けられており、これらの機械的な接続状態を切り替え可能に構成された動力伝達機構である。クラッチ３が接続されている場合、エンジン２の出力軸はモータ４の回転軸に機械的に接続されるため、駆動輪９はエンジン２の出力軸及びモータ４の回転軸の双方に接続されることとなる。一方、クラッチ３が切断されている場合、エンジン２の出力軸はモータ４の回転軸と機械的に切断されるため、駆動輪９にはモータ４の回転軸のみが変速機５を介して機械的に接続されることとなる。
【００１９】
モータ４は、バッテリ１１に蓄えられた直流電力をインバータ１０で交流変換して力行駆動することによりハイブリッド電気自動車１の動力源の一つとして機能すると共に、回生時にモータ４にて発電された交流電力をインバータ１０にて直流変換してバッテリ１１に充電する発電機として機能する電動機である。
【００２０】
変速機５は変速比の異なる複数の変速段を切替可能に構成された動力伝達機構であり、エンジン２及びモータ４から出力される動力をプロペラシャフト６、差動装置７及び駆動軸８を介して左右の駆動輪９に伝達する。本実施形態では特に、変速機５は前進５段後進１段式トランスミッションであり、前進段の低速側である「１速」側は変速比が小さく、高速側である「５速」側は変速比が大きくなるように設定されている。尚、変速機５はオートマティックトランスミッションであってもよいし、マニュアルトランスミッションであってもよい。また、変速機５の変速段は、前進５段後進１段としたが、これに限ったものでなくても良い。
【００２１】
バッテリ１１は、モータ４を力行するための直流電力を蓄電可能な蓄電池である。バッテリ１１には直流電力が蓄えられており、当該直流電力はインバータ１０によって交流変換された後、モータ４に供給される。一方、バッテリ１１の充電は、モータ４の回生によって発電された交流電力をインバータ１０によって直流変換（整流）された後、バッテリ１１に供給されることによって行われる。
【００２２】
クラッチ３が接続状態にある場合、エンジン２の出力軸はモータ４の回転軸と機械的に接続されるため、駆動輪９はエンジン２の出力軸及びモータ４の回転軸の双方と接続される。この場合、モータ４の力行時には、駆動輪９にはエンジン２の出力トルクとモータ４の出力トルクの双方が変速機５を介して伝達される。即ち、駆動輪９の駆動トルクの一部はエンジン２から供給されると共に、残りはモータ４から供給される。また、走行中にバッテリ１１の充電量が少なくなった場合には、エンジン２の出力トルクの一部を用いて駆動輪９を駆動しつつ、エンジン２の出力トルクの残りでモータ４を回生駆動させることにより、バッテリ１１を充電することもできる。
【００２３】
クラッチ３が切断されている場合（即ち、接続状態にない場合）には、エンジン２の出力軸はモータ４の回転軸と機械的に切断され、駆動輪９にはモータ４の回転軸のみが変速機５を介して機械的に接続される。この場合、モータ４の力行時には、駆動輪９にエンジン２の出力トルクは伝達されず、モータ４の出力トルクのみが伝達される。即ち、ハイブリッド電気自動車１の走行は、専ら、バッテリ１１に蓄えられた電力を用いてモータ４を駆動することによって行われる。
【００２４】
ブレーキペダル１３はドライバーによる踏み込み量に応じて駆動輪９の各々に設けられたブレーキ１２を作動させることにより、機械的制動トルクを駆動輪９に伝達して車両を減速させる。また、アクセルペダル１４はドライバーによる踏み込み量に応じて、動力源であるエンジン２及びモータ４の少なくとも一方の出力トルクを上昇させて車両を加速させる。尚、本実施例では、油圧式のブレーキペダル１３及びアクセルペダル１４を採用している。
【００２５】
車両ＥＣＵ２６は、エンジンＥＣＵ２７、インバータＥＣＵ２８及びバッテリＥＣＵ２９と共に、ハイブリッド電気自動車１の動作全体を制御可能に構成された電子制御ユニットである。これにより、車両ＥＣＵ２６はエンジン２、クラッチ３、モータ４及び変速機５をはじめとするハイブリッド電気自動車１を構成する各部位の動作状態の制御を行うと共に、各部位の制御状態を取得可能に構成されている。
【００２６】
例えば、車両ＥＣＵ２６はブレーキペダル１３の踏み込み量を、ブレーキペダル１３の油圧経路に設置された油圧センサ（図不示）により電気信号として検出することにより、ブレーキペダル１３の踏み込み量を検知する。また、車両ＥＣＵ２６はアクセルペダル１４の踏み込み量をアクセル開度センサ（図不示）により電気信号として検出することにより、アクセルペダル１４の踏み込み量を検知する。また、車両ＥＣＵ２６は変速機５にアクセスすることによって、変速機５においてどの変速段が選択されているかを検出することができ、モータ４にアクセスすることによりモータ回転数を検出することができるように構成されている。即ち、車両ＥＣＵ２６は本発明の「ブレーキペダル踏み込み量検出手段」、「回転数検出手段」、「変速段検出手段」の一例として機能する。
【００２７】
エンジンＥＣＵ２７は、エンジン２の動作に必要な各種制御を行うための電子制御ユニットであり、例えば、車両ＥＣＵ２６によって設定されたエンジン２から出力すべきトルクを出力可能なようにエンジン２における燃料の噴射量や噴射タイミングなどを制御する。
【００２８】
インバータＥＣＵ２８は、インバータ１０の動作に必要な各種制御を行うための電子制御ユニットであり、例えば、車両ＥＣＵ２６によって設定されたモータ４から出力すべきトルクを出力可能なようにインバータ１０を制御することにより、モータ４を力行又は回生作動するように制御する。
【００２９】
バッテリＥＣＵ２９は、バッテリ１１の電流及び電圧を検出可能なバッテリ電流センサやバッテリ電圧センサ（図不示）から取得した情報を、車両ＥＣＵ２６を介して取得することにより、バッテリ１１の充電量を求め、当該求めたＳＯＣを車両ＥＣＵ２６に送信する。
【００３０】
上述の車両ＥＣＵ２６、エンジンＥＣＵ２７、インバータＥＣＵ２８及びバッテリＥＣＵ２９は、それぞれＣＰＵ（Central  Processing  Unit）、ＲＯＭ（Read  Only  Memory）及びＲＡＭ（Random  Access  Memory）等を備えて構成される電子制御ユニットであり、ＲＯＭに格納された制御プログラムに従って、後述する各種制御を実行することが可能に構成されている。これらの各種の制御の物理的、機械的及び電気的な構成はこれに限定されるものではない。
【００３１】
続いて、以上のように構成されたハイブリッド電気自動車１の具体的な動作について、図２を参照して説明する。図２は、本発明に係るハイブリッド電気自動車１の制御内容を示すフローチャート図である。
【００３２】
まず車両ＥＣＵ２６は、アクセルペダル１４から踏み込み量を検知することにより、アクセルペダル１４がＯＦＦであるか否かを判断する（ステップＳ１０１）。アクセルペダル１４がＯＮである場合（ステップＳ１０１：ＮＯ）、ドライバーは車両を減速させる意思がないと想定されるため、以下に述べる制御を行う必要はなく、車両ＥＣＵ２６は処理を終了する（ＥＮＤ）。一方、アクセルペダル１４がＯＦＦである場合（ステップＳ１０１：ＹＥＳ）、車両ＥＣＵ２６は更にブレーキペダル１３から踏み込み量を検知することにより、ブレーキペダル１３がＯＮであるか否かを判断する（ステップＳ１０２）。
【００３３】
ブレーキペダル１３がＯＮである場合（ステップＳ１０２：ＹＥＳ）、車両ＥＣＵ２６はブレーキペダル１３の踏み込み量Ｆ、モータ回転数Ｒ、変速段Ｓを取得し（ステップＳ１０３）、該取得したブレーキペダルの踏み込み量Ｆ、モータ回転数Ｒ、変速段Ｓに基づいて基準回生制動トルクＴｓｒ及び上乗せ回生制動トルクＴａｄを算出する（ステップＳ１０４＆ステップＳ１０５）。
【００３４】
ステップＳ１０４ではステップＳ１０３で取得したモータ回転数Ｒと変速段Ｓに基づいて、基準回生制動トルクＴｓｒが算出される。ここで、図３はモータ回転数Ｒと基準回生制動トルクＴｓｒとの関係を示すグラフ図である。基準回生制動トルクＴｓｒは、モータ回転数がＲ０以上の範囲において、モータ回転数Ｒの増加と共に増加し、モータ４の最大回生制動トルクＴｍ（一点鎖線を参照）に到達した場合には、そのラインに従うように設定される。このようなモータ回転数Ｒと基準回生制動トルクＴｓｒとの対応関係が各変速段毎に予め理論的、実験的或いはシミュレーション的な手法にて設定され、車両ＥＣＵ２６に内蔵されたメモリ等に予め記憶されている。
【００３５】
ステップＳ１０５ではステップＳ１０３で取得したブレーキペダルの踏み込み量Ｆ、モータ回転数Ｒ、変速段Ｓに基づいて、上乗せ回生制動トルクＴａｄが算出される。図４は、ブレーキペダルの踏み込み量Ｆ、モータ回転数Ｒ、変速段Ｓと上乗せ回生制動トルクＴａｄとの関係を示すグラフ図である。
【００３６】
図４（ａ）は変速機５の変速段Ｓが「５速」に設定されている場合の、上乗せ回生制動トルクＴａｄとモータ回転数Ｒとの関係を示している。上乗せ回生制動トルクＴａｄは、モータ回転数がＲ０以上からＲ１に向かうに従い増加し、Ｒ１以上からＲ２に向かうに従い減少するように設定されている。また、ブレーキペダルの踏み込み量が大きくなるに従い、上乗せ回生制動トルクＴａｄが大きくなるように設定されている。これは、ブレーキペダルの踏み込み量が大きい場合は、ドライバーは急な減速を意図しているため、回生制動トルクを大きく設定することがドライバーの意思に沿っており、且つ、回生エネルギーの回収効率を向上させることができるからである。
【００３７】
一方、モータ回転数がＲ０より小さい範囲（例えば、クリープ領域や停車状態に近い領域）では、上乗せ回生制動トルクＴａｄはゼロに設定されている。これは、モータ回転数Ｒが小さい領域では車速が低い（停車状態に近い）と想定されるため、ドライバビリティの確保や安全上の観点から、ドライバーのブレーキペダルの踏み込み量Ｆに忠実な制動制御が可能なように、上乗せ回生制動トルクＴａｄを抑制しているためである。
【００３８】
図４（ｂ）は変速機５の変速段が「３速」に設定されている場合の、上乗せ回生制動トルクＴａｄとモータ回転数Ｒとの関係を示している。この場合、図４（ａ）と比較すると、上乗せ回生制動トルクＴａｄのモータ回転数Ｒの変化に対する大まかな振る舞いは類似しているものの、全体的に上乗せ回生制動トルクＴａｄが小さくなるように設定されている。つまり、変速機５の変速段が低速側になると車速も小さくなる（停車状態に近づく）と想定されるため、ドライバビリティの確保や安全上の観点から、ドライバーのブレーキペダルの踏み込み量Ｆに忠実な制動制御が可能なように、上乗せ回生制動トルクＴａｄを抑制しているためである。その結果、変速段が低速側にある場合には、上乗せ回生制動トルクＴａｄが小さくなる分、ドライバーのブレーキペダルの踏み込み動作に忠実な制動制御が可能となり、ドライバビリティの向上を図ることができる。
【００３９】
図４（ｃ）は変速機５の変速段が「１速」又は「２速」に設定されている場合の、上乗せ回生制動トルクＴｓｒとモータ回転数Ｒとの関係を示している。この場合、上乗せ回生制動トルクＴｓｒはモータ回転数Ｒに関わらず、常にゼロに設定される。これは図４（ｂ）に比べて更に低速側の変速段では、車両が停車状態により近い状態にあると想定されるため、上乗せ回生制動トルクＴａｄをゼロに設定し、極力ドライバーのブレーキペダルの踏み込み動作に忠実な制動制御が可能とし、安全性の向上を図っているためである。
【００４０】
尚、図４に示す各変速段における上乗せ回生制動トルクＴｓｒとモータ回転数Ｒとの対応関係は予め理論的、実験的或いはシミュレーション的な手法にて設定され、車両ＥＣＵ２６に内蔵されたメモリ等に予め記憶されている。
【００４１】
再び図２に戻って、車両ＥＣＵ２６はステップＳ１０４において算出した基準回生トルクと、ステップＳ１０５において算出した上乗せ回生トルクとの和が、モータ４の最大回生制動トルクＴｍ以下であるか否かを判定する（ステップＳ１０６）。図３において点（ａ）で示したように、当該和がモータ４の最大回生制動トルクＴｍ以下である場合（ステップＳ１０６：ＹＥＳ）、車両ＥＣＵ２６は回生制動トルクＴｒを次式に基づき設定する（ステップＳ１０７）。
回生制動トルクＴｒ＝基準回生制動トルクＴｓｒ＋上乗せ回生制動トルクＴａｄ      （１）
そして、車両ＥＣＵ２６は、式（１）により算出される回生制動トルクＴｒが発生するように、モータ４を回生制御する（ステップＳ１０８）。このように、回生制動トルクＴｒを基準回生制動トルクＴｓｒに上乗せ回生制動トルクＴａｄを上乗せして算出することにより、減速時における回生エネルギーの回収効率を向上させることができる。特に上乗せ回生制動トルクＴａｄを車両の走行条件（モータ回転数Ｒや変速段Ｓ）に応じて設定しているため、ドライバビリティの悪化を防止するために基準回生制動トルクＴｓｒを比較的小さく設定した場合であっても、良好なエネルギー回収効率を得ることができる。
【００４２】
一方、図３において点（ｂ）で示したように、当該和がモータ４の最大回生制動トルクＴｍより大きい場合（ステップＳ１０６：ＮＯ）、車両ＥＣＵ２６は回生制動トルクＴｒを次式に基づいて設定する（ステップＳ１０９）。
回生制動トルクＴｒ＝最大回生制動トルクＴｍ      （２）
そして、車両ＥＣＵ２６は、式（２）により算出される回生制動トルクＴｒが発生するように、モータ４を回生制御すると共に、クラッチを接続し、エンジンブレーキをかける（ステップＳ１１０）。この場合、回生制動トルクＴｒはモータが発生可能な最大回生制動トルクＴｍを超えているため、モータから最大回生制動トルクＴｍを発生させることによって最大限の回生エネルギーを取得すると共に、足りない制動力をエンジンブレーキによって補填する。
【００４３】
尚、ステップＳ１１０ではモータの回生制動トルクの不足分をエンジンブレーキによって補うこととしているが、エンジンブレーキに代えて、機械式ブレーキの自動制御などによって補うようにしてもよい。
【００４４】
以上説明したように、本発明に係るハイブリッド電気自動車１では、ドライバビリティの悪化を防止するために基準回生制動トルクを比較的小さく設定した場合であっても、車両の走行条件（電動機の回転数や変速機の変速段）に応じて設定された上乗せ回生制動トルクを加算することで、良好なエネルギー回収効率を得ることができる。
【産業上の利用可能性】
【００４５】
本発明は、内燃機関とバッテリに蓄えられた電力を動力源として力行する電動機との少なくとも一方から出力される動力で走行し、電動機の回生時に回生制動トルクを発生させて減速するハイブリッド電気自動車の制御装置利用可能である。
【符号の説明】
【００４６】
１  ハイブリッド電気自動車
２  エンジン
３  クラッチ
４  モータ
５  変速機
９  駆動輪
１１  バッテリ
１３  ブレーキペダル
１４  アクセルペダル
２６  車両ＥＣＵ
２７  エンジンＥＣＵ
２８  インバータＥＣＵ
２９  バッテリＥＣＵ
【図１】
0005795854.tif 000002
【図２】
0005795854.tif 000003
【図３】
0005795854.tif 000004
【図４】
0005795854.tif 000005